(57)【要約】【課題】  パッキンに所定の圧縮率を与えることができ、２個一対の部品とパッキンの接触部に生じる面圧を安定させ、空間遮断機能を安定化することができる部品間の密閉構造を提供する。【解決手段】  第１の部品と第２の部品とからなる２個一対の部品と、第１の部品の一方に設けられた溝に設置され、一対の部品の間に挟まれる弾性体のパッキンとで構成され、一対の部品の間に存在する空間をパッキンにより遮断する部品間の密閉構造において、パッキンの断面形状を、少なくとも第２の部品と接触する部分の両側に傾斜部を形成した多角形とする。【選択図】        図１
2006083982.tif 000002
【特許請求の範囲】
【請求項１】
第１の部品と第２の部品とからなる２個一対の部品と、
前記第１の部品の一方に設けられた溝に設置され、前記一対の部品の間に挟まれる弾性体のパッキンとで構成され、
前記一対の部品の間に存在する空間を前記パッキンにより遮断する部品間の密閉構造において、
前記パッキンの断面形状を、少なくとも前記第２の部品と接触する部分の両側に傾斜部を形成した多角形としたことを特徴とする部品間の密閉構造。
【請求項２】
前記パッキンの断面形状が六角形であることを特徴とする請求項１に記載の部品間の密閉構造。
【請求項３】
前記パッキンの断面形状が八角形であることを特徴とする請求項１に記載の部品間の密閉構造。
【請求項４】
前記パッキンの断面形状が台形であることを特徴とする請求項１に記載の部品間の密閉構造。
【請求項５】
前記パッキンの断面形状が三角形であることを特徴とする請求項１に記載の部品間の密閉構造。
【発明の詳細な説明】
【技術分野】
【０００１】
本発明は、弾性体のパッキンを２個一対の部品の間に挟みこみ、２個一対の部品の内部と外部の空間をパッキンにより遮断する部品間の密閉構造に関するものである。
【背景技術】
【０００２】
従来より、２個一対の部品間を密閉する場合、一般的にパッキンが用いられている（例えば、特許文献1参照）。
２個一対の部品と弾性体のパッキンにより、２個一対の部品の外部空間と内部空間を遮断する構造は、例えば、図３（ａ）、図３（ｂ）のようになっている。
図３（ａ）は、２個一対の部品の組立前の状態を表す図で、図３（ｂ）は２個一対の部品の組立後の状態を表す図である。
図３（ａ），（ｂ）において、１は２個一対の部品の片方である第1の部品、２は第1の部品と対を成す２個一対の部品の片方である第２の部品、３は第1の部品１に設けられた溝、４は溝３内に配置された弾性体からなる四角形断面のパッキン、５は第1の部品１、第２の部品２、およびパッキン４によって遮断された一方側の空間で、６は前記一方側の空間５と対を成す他方側の空間である。
【特許文献１】特開平６−６６１０８号公報（図１）
【発明の開示】
【発明が解決しようとする課題】
【０００３】
ところが従来技術では、図４に示すように、第1の部品１、第２の部品２、およびパッキン４を組み立てた時に、パッキン４の四角形断面の角部が、第1の部品１、第２の部品２の間に噛み込むことにより、第1の部品１と第２の部品２との間に隙間が生じることがあった。このため、隙間の分だけパッキン４に所定の圧縮率が与えられなくなり、第1の部品１と第２の部品２に対するパッキン４の接触部の面圧が不足し、パッキン４の空間遮断機能が低下する問題があった。
図４において、７はパッキン４の四角形断面の角部が第1の部品１と第２の部品２との間に挟まってできた噛み込み部、８は第1の部品１と第２の部品２の間に噛み込み部７が存在することにより生じる隙間を表している。
本発明はこのような問題を解決するためになされたもので、パッキンに所定の圧縮率を与えることができ、２個一対の部品とパッキンの接触部に生じる面圧を安定させ、空間遮断機能を安定化することができる部品間の密閉構造を提供することを目的とするものである。
【課題を解決するための手段】
【０００４】
上記課題を解決するために、本発明は、次のようにしたものである。
請求項１に記載の発明は、第１の部品と第２の部品とからなる２個一対の部品と、前記第１の部品の一方に設けられた溝に設置され、前記一対の部品の間に挟まれる弾性体のパッキンとで構成され、前記一対の部品の間に存在する空間を前記パッキンにより遮断する部品間の密閉構造において、前記パッキンの断面形状を、少なくとも前記第２の部品と接触する部分の両側に傾斜部を形成した多角形としたことを特徴とするものである。
請求項２に記載の発明は、前記パッキンの断面形状が六角形であることを特徴とするものである。
請求項３に記載の発明は、前記パッキンの断面形状が八角形であることを特徴とするものである。
請求項４に記載の発明は、前記パッキンの断面形状が台形であることを特徴とするものである。
請求項５に記載の発明は、前記パッキンの断面形状が三角形であることを特徴とするものである。
【発明の効果】
【０００５】
本発明によれば、パッキンは所定の圧縮率を得られ、２個一対の部品とパッキンの接触部に生じる面圧が安定することにより、空間遮断するという機能を安定化することができる。
また、六角形、八角形、台形、もしくは三角形の断面のパッキンの角部を、パッキンが配置されている部品の溝部側壁に接触させることにより、部品組立時にパッキンの位置がずれたり、パッキンが溝から脱落するのを防止し、組立作業性を向上させることができる。
【発明を実施するための最良の形態】
【０００６】
本発明の実施例を図に基づいて説明する。
【実施例１】
【０００７】
図１は、本発明の第１の実施例における部品間品間の密閉構造を示す図で、（ａ）は２個一対の部品と六角形断面のパッキンにより空間を遮断する前の状態を示す側断面図、（ｂ）は空間を遮断した後の構造を示す側断面図である。
以下、本発明の第１の実施例が従来技術と異なる点について説明する。
図１（ａ），（ｂ）において、９は溝３内に配置された弾性体からなる六角形断面のパッキン、１０はパッキン９の一方側の角、１１はパッキン９の一方側の角１０の対角に位置する他方側の角、１２はパッキン９の一方側の角１０が接触する溝３の一方側の側壁、１３はパッキン９の他方側の角１１が接触する溝３の他方側の側壁、１４は溝３の底部を示す。
前記パッキン９は、断面形状を、少なくとも前記第２の部品２と対向する側の面の両側に傾斜部を形成した構成にしているので、パッキン９が第１の部品１と第２の部品２との間に噛み込むことがなくなる。したがって、パッキン９は所定の圧縮率を得られ、２個一対の部品１，２とパッキン９との接触部に生じる面圧が安定する。これにより、パッキン９の空間遮断機能を安定化することができる。
また、六角形、もしくは八角形断面のパッキンの角部を、パッキンが配置されている部品の溝部側壁に接触させることにより、部品組立時にパッキンの位置がずれたり、パッキンが溝から脱落するのを防止し、組立作業性を向上させることができる。
図２は、本発明の第２の実施例における部品間品間の密閉構造を示す図で、（ａ）は２個一対の部品と八角形断面のパッキンにより空間を遮断する前の状態を示す側断面図、（ｂ）は空間を遮断した後の構造を示す側断面図である。
以下、本発明の第２の実施例が従来技術と異なる点について説明する。
図２（ａ），（ｂ）において、１５は溝３内に配置された弾性体からなる八角形断面のパッキン、１６はパッキン１５の一方側の辺、１７はパッキン１５の一方側の辺の対辺に位置する他方側の辺である。
この第２の実施例においても、第１の実施例と同様の効果をうることができる。
なお、本発明においては、パッキンの断面形状を台形、三角形、あるいはひし形にしても、同様の効果がある。
【図面の簡単な説明】
【０００８】
【図１】本発明の第１の実施例における部品間品間の密閉構造を示す図で、（ａ）は２個一対の部品と六角形断面のパッキンにより空間を遮断する前の状態を示す側断面図、（ｂ）は空間を遮断した後の状態を示す側断面図である。
【図２】本発明の第２の実施例における部品間品間の密閉構造を示す図で、（ａ）は２個一対の部品と八角形断面のパッキンにより空間を遮断する前の状態を示す側断面図、（ｂ）は空間を遮断した後の状態を示す側断面図である。
【図３】従来技術における部品間品間の密閉構造を示す図で、（ａ）は２個一対の部品と六角形断面のパッキンにより空間を遮断する前の状態を示す側断面図、（ｂ）は空間を遮断した後の状態を示す側断面図である。
【図４】図３における従来技術において、パッキンにより空間を遮断する際に、パッキンを２個一対の部品の間に噛み込んだ状態を示す側断面図である。
【符号の説明】
【０００９】
１  第1の部品
２  第２の部品
３  溝
４，９，１５  パッキン
５  一方側の空間
６  他方側の空間
７  噛み込み部
８  隙間
１０  パッキンの一方側の角
１１  パッキンの他方側の角
１２  一方側の側壁、
１３  他方側の側壁
１４  溝の底部
１６  パッキンの一方側の辺
１７  パッキン１５の他方側の辺
【図１】
2006083982.tif 000003
【図２】
2006083982.tif 000004
【図３】
2006083982.tif 000005
【図４】
2006083982.tif 000006